(57)【要約】【課題】この発明は、所定のデータ放送サービスで提供される情報を、予め定められた所定のタイミングで自動的に表示させることができるデジタルテレビ放送受信機を提供することを目的とする。【解決手段】データ放送を受信して表示する機能を備えたデジタルテレビ放送受信機において、所定のデータ取得タイミングにおいて、所定のデータ放送サービスを選局し、データ放送データを所得して不揮発性メモリに格納させるデータ取得手段、および所定のデータ提示タイミングにおいて、不揮発性メモリに格納されているデータを提示させるデータ提示手段を備えている。【選択図】図１
2007259034.tif 000002
【特許請求の範囲】
【請求項１】
データ放送を受信して表示する機能を備えたデジタルテレビ放送受信機において、
所定のデータ取得タイミングにおいて、所定のデータ放送サービスを選局し、データ放送データを所得して不揮発性メモリに格納させるデータ取得手段、ならびに
所定のデータ提示タイミングにおいて、不揮発性メモリに格納されているデータを提示させるデータ提示手段、
を備えていることを特徴とするデジタルテレビ放送受信機。
【請求項２】
所定のデータ放送サービスが天気予報を提供するデータ放送サービスであり、データ取得手段は、所定のデータ取得タイミングにおいて、天気予報を提供するデータ放送サービスを選局し、天気予報のデータを所得して不揮発性メモリに格納させるものであり、データ提示手段は、所定のデータ提示タイミングにおいて、不揮発性メモリに格納されている天気予報のデータを提示させるものであることを特徴とする請求項１に記載のデジタルテレビ放送受信機。
【請求項３】
データ提示手段は、所定のデータ提示タイミングにおいて、不揮発性メモリに格納されている天気予報のデータと、予めユーザによって設定された郵便番号情報とに基づいて、郵便番号情報に対応する地域の天気予報データを提示させるものであることを特徴とする請求項２に記載のデジタルテレビ放送受信機。
【請求項４】
データ提示手段は、所定のデータ提示タイミングにおいて、不揮発性メモリに格納されている天気予報のデータと、予めユーザによって設定された郵便番号情報とに基づいて、郵便番号情報に対応する地域の天気予報を音声出力させる手段を備えていることを特徴とする請求項３に記載のデジタルテレビ放送受信機。
【請求項５】
所定のデータ取得タイミングは、主電源がオン状態である場合にリモコン電源がオフされたタイミングおよび／またはユーザによって上記所定のデータ放送サービスが直接選局されたタイミングであることを特徴とする請求項１乃至４に記載のデジタルテレビ放送受信機。
【請求項６】
所定のデータ提示タイミングは、主電源がオンされたタイミングおよび主電源がオン状態である場合にリモコン電源がオフからオンに切り換えられたタイミングであることを特徴とする請求項１乃至５に記載のデジタルテレビ放送受信機。
【発明の詳細な説明】
【技術分野】
【０００１】
この発明は、データ放送を受信して表示する機能を備えたデジタルテレビ放送受信機に関する。
【背景技術】
【０００２】
現在、ＢＳ／ＣＳ110 度／地上デジタル放送で行われているデータ放送サービスにおいては、データ放送コンテンツは、ARIB STD-B24  で規定されるＢＭＬ(Broadcasting Markup  Language) と、その構成要素であるＪＰＥＧ、ＰＮＧなどの各種モノメディアデータから構成されている。ＢＭＬ文書は、ＢＭＬブラウザによって解釈・処理され、画面上に提示される。データ放送サービスでは、サービス毎に独自のコンテンツが提供されており、ニュース、天気予報、番組関連情報、ショッピング、ゲームなど様々な種類のコンテンツが提供されている。
【０００３】
データ放送サービスで提供されているコンテンツの中には、天気予報を提供するデータ放送コンテンツのように、ユーザによってデジタル放送受信機に設定された郵便番号情報をもとに、設定された地域の天気予報を画面に提示するものがある。このような種類のコンテンツでは、ユーザ毎にカスタマイズされた情報が提供されるため、ユーザにとって有益な情報となる場合が多く、利用頻度も多い。しかしながら、データ放送サービスではサービス毎に独自のデータ放送コンテンツが提供されているため、ユーザは見たいデータ放送サービスと異なるサービスの番組を視聴していた場合には、わざわざサービスを切り替えてから、データ放送サービスを起動させる必要があった。
【発明の開示】
【発明が解決しようとする課題】
【０００４】
この発明は、所定のデータ放送サービスで提供される情報を、予め定められた所定のタイミングで自動的に表示させることができるデジタルテレビ放送受信機を提供することを目的とする。
【課題を解決するための手段】
【０００５】
請求項１に記載の発明は、データ放送を受信して表示する機能を備えたデジタルテレビ放送受信機において、所定のデータ取得タイミングにおいて、所定のデータ放送サービスを選局し、データ放送データを所得して不揮発性メモリに格納させるデータ取得手段、および所定のデータ提示タイミングにおいて、不揮発性メモリに格納されているデータを提示させるデータ提示手段を備えていることを特徴とする。
【０００６】
請求項２に記載の発明は、請求項１に記載の発明において、所定のデータ放送サービスが天気予報を提供するデータ放送サービスであり、データ取得手段は、所定のデータ取得タイミングにおいて、天気予報を提供するデータ放送サービスを選局し、天気予報のデータを所得して不揮発性メモリに格納させるものであり、データ提示手段は、所定のデータ提示タイミングにおいて、不揮発性メモリに格納されている天気予報のデータを提示させるものであることを特徴とする。
【０００７】
請求項３に記載の発明は、請求項２に記載の発明において、データ提示手段は、所定のデータ提示タイミングにおいて、不揮発性メモリに格納されている天気予報のデータと、予めユーザによって設定された郵便番号情報とに基づいて、郵便番号情報に対応する地域の天気予報データを提示させるものであることを特徴とする。
【０００８】
請求項４に記載の発明は、請求項３に記載の発明において、データ提示手段は、所定のデータ提示タイミングにおいて、不揮発性メモリに格納されている天気予報のデータと、予めユーザによって設定された郵便番号情報とに基づいて、郵便番号情報に対応する地域の天気予報を音声出力させる手段を備えていることを特徴とする。
【０００９】
請求項５に記載の発明は、請求項１乃至４に記載の発明において、所定のデータ取得タイミングは、主電源がオン状態である場合にリモコン電源がオフされたタイミングおよび／またはユーザによって上記所定のデータ放送サービスが直接選局されたタイミングであることを特徴とする。
【００１０】
請求項６に記載の発明は、請求項１乃至５に記載の発明において、所定のデータ提示タイミングは、主電源がオンされたタイミングおよび主電源がオン状態である場合にリモコン電源がオフからオンに切り換えられたタイミングであることを特徴とする。
【発明の効果】
【００１１】
この発明によれば、所定のデータ放送サービスで提供される情報を、予め定められた所定のタイミングで自動的に表示させることができるようになる。
【発明を実施するための最良の形態】
【００１２】
以下、図面を参照して、この発明の実施例について説明する。
【実施例１】
【００１３】
図１は、デジタルテレビ放送受信機の構成を示している。
【００１４】
アンテナ１で受信された放送波はデジタルチューナ２に送られて、高周波処理および復調が行なわれ、トランスポート・ストリームとして出力される。ＤＥＭＵＸ３は、デジタルチューナ２から受け取ったトランスポート・ストリームをＭＰＥＧ２のビデオトランスポートパケット、オーディオトランスポートパケット、ＰＳＩ及びＳＩに分離する。
【００１５】
ＡＶデコーダ４は、ビデオトランスポートパケットに対して復号を行うビデオデコーダ、オーディオトランスポートパケットに対して復号を行うオーディオデコーダを備えている。ＡＶデコーダ４によって生成された映像データは、マルチプレクサ５および映像出力回路６を介してモニタ７に送られる。ＡＶデコーダ４によって生成された音声データは、音声出力回路８を介してスピーカ９に送られる。
【００１６】
ＣＰＵ１０は、デジタルテレビ放送受信機の各部を制御する。ＣＰＵ１０は、そのプログラム等を記憶するフラッシュメモリ１１および画像データを記憶するＤＲＡＭ１２を備えている。ＣＰＵ１０には、リモコン送信機２０からのリモコン信号がリモコン受光器１３を介して入力される。
【００１７】
また、ＣＰＵ１０には、オンスクリーン画面データを生成するためのＯＤＳ表示回路１５が接続されている。ＯＤＳ表示回路１５によって生成されたオンスクリーン画面データは、マルチプレクサ５に送られて映像データに合成される。マルチプレクサ５によって得られた映像信号は、映像出力回路６を介してモニタ７に送られる。
【００１８】
なお、リモコン送信機２０に設けられているリモコン電源キーは、デジタルテレビ放送受信機の本体操作部内の主電源キーがオンされている状態において、デジタルテレビ放送受信機の電源をオンオフさせるものである。
【００１９】
図２は、ＤＥＭＵＸ３によって分離されたデータ放送コンテンツ、映像データ、音声データの流れを示している。
【００２０】
デジタルチューナ２から出力されるトランスポート・ストリーム（ＴＳ）は、ＤＥＭＵＸ３内のＰＩＤフィルタ３１により、ＥＳ毎に分離される。ＰＩＤフィルタ３１により、分離された映像データは、ＡＶデコーダ４内のビデオデコーダ４１に送られる。ＰＩＤフィルタ３１により、分離された音声データは、ＡＶデコーダ４内のオーディオデコーダ４２に送られる。ビデオデコーダ４１によって得られた映像データは、マルチプレクサ５を構成するフレームメモリ５１に送られる。オーディオデコーダ４２によって得られた音声データは、音声出力回路８に送られる。
【００２１】
ＰＩＤフィルタ３１により、分離されたデータ放送コンテンツは、セクションフィルタ６１を通り、データカルーセル受信処理部６２に与えられる。データカルーセル受信処理部６２は、データ放送コンテンツを構成するモジュールデータを抽出する。データカルーセル受信処理部６２によって抽出されたモジュールデータは、ＢＭＬ処理部６３において、ＢＭＬ文書の解析、ＪｐｅｇやＰｎｇ画像などの各種モノメディアのデコードなどが行われた後、マルチプレクサ５を構成するフレームメモリ５１に送られ、映像データと合成される。フレームメモリ５１で合成された映像データは、映像出力回路６に送られる。
【００２２】
データ放送コンテンツは、ARIB STD-B24で規定されるＢＭＬで記述される。また、天気予報などのデータはバイナリ形式で送られ、それらは全て一意に識別するため、次の名前空間が用いられる。
【００２３】
arib-dc://<original＿network ＿id>.<transport＿stream＿id>.<service＿id>/
<component＿tag>/<module＿id> 
【００２４】
デジタル放送におけるサービスとは従来のアナログ放送におけるチャンネルに相当するものであり、service ＿idによって識別される。このうち、データ放送サービスは、１又は複数のデータコンポーネントを有し、それぞれのコンポーネントは component＿tag によって識別される。また、各コンポーネントで伝送されるモジュールはmodule＿idによって識別される。
【００２５】
各モジュールはコンテンツバッファ内において、上記の名前空間に従うと図３に示すようなディレクトリ構造によって格納されているとみなすことができる。
【００２６】
この実施例では、所定のデータ取得タイミングにおいて、天気予報を提供するデータ放送サービスの、各地域の天気予報データが格納されたバイナリデータ（天気予報バイナリデータ）を取得し、デジタル放送受信機内のフラッシュメモリ（不揮発性メモリ）１１に格納しておく。
【００２７】
天気予報バイナリデータを取得するには天気予報を提供するサービスに対して選局を行う必要がある。そのため、ユーザが何らかのサービス（天気予報のサービスを除く）を視聴しているとき以外に天気予報バイナリデータを取得することが好ましい。この実施例では、次の（ａ）、（ｂ）、（ｃ）のタイミングで天気予報データを取得する。
【００２８】
（ａ）主電源がオンとなっている状態において、リモコン電源がオフされた直後
（ｂ）ユーザによって天気予報のサービスが直接選局されたとき
（ｃ）番組表が表示されている場合に、予め定められた所定のカラーボタンが押されたとき
【００２９】
また、この実施例では、所定のデータ提示タイミング、例えば、主電源がオンされたとき、主電源がオンである状態においてリモコン電源がオフからオンに切り換えられたとき、または番組表や各種メニュー画面が表示されるときにおいて、フラッシュメモリ１１に格納されている天気予報バイナリデータと、デジタル放送受信機に設定された郵便番号情報とに基づいて、デジタル放送受信機に設定された郵便番号情報に対応する地域の天気予報を画面の一部にオンスクリーン表示する。
【００３０】
図４は、所定のデータ取得タイミングにおいて実行される天気予報バイナリデータの取得処理手順を示している。
【００３１】
所定のデータ取得タイミングとなると、天気予報データの含まれるデータ放送サービスを選局する（ステップＳ１）。次に、受信したデータ放送コンテンツから天気予報バイナリデータを取得する（ステップＳ２）。そして、取得した天気予報バイナリデータをフラッシュメモリ１１に格納する。
【００３２】
図５は、所定のデータ提示タイミングにおいて実行される天気予報提示処理手順を示している。
【００３３】
所定のデータ表示タイミングとなると、受信機に設定された郵便番号情報を取得する（ステップＳ１１）。次に、フラッシュメモリ１１に格納されている天気予報バイナリデータを解析し、受信機に設定された郵便番号情報に対応する地域の天気予報データを取得する（ステップＳ１２）。そして、取得した天気予報データを表示させる（ステップＳ１３）。
【００３４】
なお、デジタル放送受信機にあらかじめ天気予報に関する音声データを格納しておくとともに、それを再生する再生手段を設けておき、上記ステップＳ１３で天気予報データを表示させる代わりにまたは上記ステップＳ１３で天気予報データを表示させるとともに、天気予報を音声出力させるようにしてもよい。
【００３５】
音声出力内容としては、例えば、晴れの場合は、「今日は晴れの予報です。」が、午後から雨が降りそうな場合は「午後から雨の予報です。」がある。
【００３６】
上記実施例によれば、ユーザはデータ放送サービスで行われている天気予報の情報を、データ放送サービスが行われているサービスに選局したり、データ放送サービスを起動したりすることなく、閲覧することが可能となり、ユーザの利便性の向上につながる。
【図面の簡単な説明】
【００３７】
【図１】デジタルテレビ放送受信機の構成を示すブロック図である。
【図２】ＤＥＭＵＸ３によって分離されたデータ放送コンテンツ、映像データ、音声データの流れを示すブロック図である。
【図３】データ放送サービスにおけるコンテンツバッファ内のディレクトリ構造を示す模式図である。
【図４】所定のデータ取得タイミングにおいて実行される天気予報バイナリデータの取得処理手順を示すフローチャートである。
【図５】所定のデータ提示タイミングにおいて実行される天気予報提示処理手順を示すフローチャートである。
【符号の説明】
【００３８】
２  デジタルチューナ
３  ＤＥＭＵＸ
４  ＡＶデコーダ
５  マルチプレクサ
６  映像出力回路
８  音声出力回路
１０  ＣＰＵ
１１  フラッシュメモリ
【図１】
2007259034.tif 000003
【図２】
2007259034.tif 000004
【図３】
2007259034.tif 000005
【図４】
2007259034.tif 000006
【図５】
2007259034.tif 000007